(57)【要約】【課題】開放蓋を確実にしてスムーズに開放する。【解決手段】収納庫１の開閉蓋２を収納庫１の上方開口部３に対して開閉自在に支持するリンク機構４から成り、該リンク機構４は、開閉蓋２の閉鎖状態で、開閉蓋２の開放基端２ａ底部の左右両側の夫々に設けた固定リンク６から、上方が下方より長い長短２本の上部及び下部リンク７、８を略平行にして収納庫１内へ向かって斜め下方に突設すると共に、上部及び下部リンク７、８の下端を連接リンク９にて枢着連結し、下部リンク８の略中間部位を収納庫側壁１ａより突設した枢軸１０を以て枢着し、上部リンク７の軸線上の下方に設けた長孔７ａを前記枢軸１０と同一水平線上で平行に収納庫側壁１ａより突設した支軸１２にスライド自在に装着することにより、開放時に常に連接リンク９が下部リンク８を上部リンク７と同じ開放方向へ回動する様に押圧して開閉蓋２の左右のリンク機構４を同期的に動作させる。【選択図】　　　　図３
2004107995.tif 000002
【特許請求の範囲】
【請求項１】
床下に凹設した収納庫の開閉蓋を収納庫の上方開口部に対して開閉自在に支持するリンク機構から成り、該リンク機構は、開閉蓋の閉鎖状態で、該開閉蓋の開放基端底部の左右両側の夫々に設けた固定リンクから、上方が下方より長い長短２本の上部及び下部リンクを略平行にして収納庫内へ向かって斜め下方に突設すると共に、上部及び下部リンクの下端を連接リンクにて枢着連結し、下部リンクの略中間部位を収納庫側壁より突設した枢軸を以て枢着し、上部リンクの軸線上の下方に設けた長孔を前記枢軸と同一水平線上で平行に収納庫側壁より突設した支軸にスライド自在に装着したことを特徴とする床下収納庫用開閉蓋の取付構造。
【請求項２】
収納庫と開閉蓋の間に、該開閉蓋の開閉動作を制御するガスシリンダを設けたことを特徴とする請求項１記載の床下収納庫用開閉蓋の取付構造。
【発明の詳細な説明】
【０００１】
【発明の属する技術分野】
本発明は、床下収納庫用開閉蓋の取付構造に関する。
【０００２】
【従来の技術】
従来、床下収納庫の上方開口部に取付けられる開閉蓋としては、図９に示す様に、開閉蓋ａの開放基端底部の左右両側に突設した一対の可動ブラケットｂと、これに対応する収納庫ｃの対向側壁に設けた固定ブラケットｄとの間に、長短２本の上部リンクｅと下部リンクｆとを略平行に並べて連結し、更に、内部のガス圧力によりピストンロッドを押動する機能を具えたガスシリンダｇを伸縮自在に連結して開閉蓋ａの開閉を補助する様に成したものが見受けられる（例えば、特許文献１参照。）。
そして、開閉蓋ａを開放するにあたって、その開放端を上方へ引き上げることにより、開閉蓋ａはリンクｅ、ｆから成るリンク機構ｈを回動支点として斜めに持ち上がり、徐々に仰角を上げながら回動し、最終的には図９中の実線で示す傾斜角度を以て全開状態と成している。
【０００３】
【特許文献１】
実開昭６１−１５７６４０号公報（第９図、第１０図）
【０００４】
【発明が解決しようとする課題】
しかしながら、開閉蓋ａの開放時において、その開放蓋ａの開け方によっては、左右のリンク機構ｈがバランスを崩して同期せず、片方のリンク機構ｈのリンクｅ、ｆが正常に回転できなくなり、開閉蓋ａを開放できない不具合を有している。
これは、開閉蓋開放初期時において開閉蓋ａが傾斜姿勢になると、開閉蓋ａの開放基端の縁部を支持している下部リンクｆに開閉蓋ａの重量がかかり、下部リンクｆには、開閉蓋ａの開放方向へ回転しようとする上部リンクｅと逆の下方へ下がろうとする（開閉蓋ａの閉鎖方向に）力が働くからであり、例えば、開放蓋ａを開ける時の引き上げ具合によって一方のリンク機構ｈが先に動作する場合などに、他方のリンク機構ｈにおける下部リンクｆに作用する閉鎖方向の力が上部リンクｅを開放方向へ回動させる力に勝ると、左右のリンク機構ｈの動作が同期できなくなり、開閉蓋ａを引き上げられなくなるのである。
この様な場合、開閉蓋ａを一旦手放し、再度引き上げて開放させる必要があった。
【０００５】
【課題を解決するための手段】
本発明は、上記課題に鑑み、床下に凹設した収納庫の開閉蓋を収納庫の上方開口部に対して開閉自在に支持するリンク機構から成る床下収納庫用開閉蓋の取付構造であって、前記リンク機構は、開閉蓋の閉鎖状態で、その開放基端底部の左右両側の夫々に設けた固定リンクから、上方が下方より長い長短２本の上部及び下部リンクを略平行にして収納庫内へ向かって斜め下方に突設すると共に、上部及び下部リンクの下端を連接リンクにて枢着連結し、下部リンクの略中間部を収納庫側壁に突設した枢軸を以て枢着し、上部リンクの軸線上の下方に設けた長孔を前記枢軸と同一水平線上で平行に収納庫側壁より突設した支軸にスライド自在に装着することにより、開放時に常に連接リンクが下部リンクを上部リンクと同じ開放方向へ回動する様に押圧して開閉蓋の左右のリンク機構を同期的に動作させる様にして、上記課題を解決する。
【０００６】
【発明の実施の形態】
以下本発明の一実施例を図面に基づいて説明する。
本発明に係る床下収納庫用開閉蓋の取付構造は、床下に凹設した収納庫１の開閉蓋２を収納庫１の上方開口部３に対して開閉自在に支持するリンク機構４から構成され、該リンク機構４には、開閉蓋２の開閉動作を制御するガスシリンダ５を設けている。
【０００７】
リンク機構４は、床面の一部と成る開閉蓋２の閉鎖状態で、該開閉蓋２の開放基端２ａ底部の左右両側の夫々に突設したブラケットを固定リンク６と成し、該固定リンク６から、上方が下方より長い長短２本の上部及び下部リンク７、８を略平行にして収納庫１内へ向かって斜め下方に突設する様に、上部及び下部リンク７、８の上端を固定リンク６に枢着すると共に、上部及び下部リンク７、８の下端を固定リンク６より長い連接リンク９にて枢着連結している。
そして、下部リンク８の中間部より下方寄り部位を、固定リンク６に対応する収納庫側壁１ａに突設した枢軸１０を以て枢着し、一方、上部リンク７の軸線上の下方に設けた長孔７ａを枢軸１０と同一水平線上で平行に収納庫側壁１ａより突設した支軸１１にスライド自在に装着している。
枢軸１０及び支軸１１は、収納庫側壁１ａの上方適所に接合した横長略矩形状の基板１２より突設しており、収納庫１において、開閉蓋２の開放端２ｂ及び開放基端２ａに対応する前後側壁１ｂ、１ｃの左右側には、リンク機構４とガスシリンダ５に並設する様に、帯状のガイド板１３を架設している。
又、開閉蓋２の開放端２ｂ上面には、回転取手１４を設けている。
【０００８】
ガスシリンダ５は、その本体よりピストンロッド５ａを伸縮自在に設けると共に、本体内部に封入したガスの圧力によりピストンロッド５ａを伸長する様に付勢したものであり、本体テール部をブラケット６において、開閉蓋２の開放端２ｂ側に対応する端部に枢着し、ピストンロッド５ａの先端を収納庫側壁１ａの適所に接合した支持板１５より突設したピンを以て枢着している。
尚、ピストンロッド５ａの枢着位置を変更することより、開閉蓋２の全開状態を図８に示す直立と成す以外に、所定角度に傾斜する様にも設定できる。
【０００９】
次に本発明に係る床下収納庫用開閉蓋の取付構造の作用について説明する。
開閉蓋２の閉鎖状態では、図５に示す様に、上部及び下部リンク７、８は、固定リンク６から斜め下方に略平行状態で突出し、連接リンク９は略水平状態に保持され、長孔７ａの上端が枢軸１０に接触しており、又ガスシリンダ５のピストンロッド５ａは収縮状態を保持している。
そして、開閉蓋２を開放すると、図６に示す開放初期では、上部及び下部リンク７、８は、固定リンク６との枢着部と、枢軸１０及び支軸１１を支点として起立する（開閉蓋開放）方向へ回動する。
かかる時点より、連接リンク９は上部リンク７の起立方向への回動に伴い開閉蓋２が全開するまで常に下部リンク８を起立させる方向へ押圧している。
開閉蓋２の開放度合に伴って上部及び下部リンク７、８が起立度合を増すと、長孔７ａは支軸１１に対し上方へスライド（図７参照）するため、上部リンク７は起立する様に回転しながら上方へ突き上がる。
そして、上部リンク７の長孔７ａに沿った上方への変位により、開閉蓋２は略直立した状態で全開する（図８参照）。
尚、ガスシリンダ５は、開閉蓋２の開放により、ピストンロッド５ａが伸長して開閉蓋２の開放動作を助勢している。
又、全開状態の開閉蓋２を下方へ押し下げることにより、上記と逆の手順で開閉蓋２は閉鎖される。
【００１０】
【発明の効果】
要するに本発明は、開閉蓋２の閉鎖状態で、その開放基端２ａ底部の左右両側の夫々に設けた固定リンク６から、上方が下方より長い長短２本の上部及び下部リンク７、８を略平行にして収納庫１内へ向かって斜め下方に突設すると共に、上部及び下部リンク７、８の下端を連接リンク９にて枢着連結し、下部リンク８の略中間部位を収納庫側壁１ａより突設した枢軸１０を以て枢着し、上部リンク７の軸線上の下方に設けた長孔７ａを前記枢軸１０と同一水平線上で平行に収納庫側壁１ａより突設した支軸１２にスライド自在に装着したリンク機構４を設けることにより、上部リンク７の起立方向への回動に伴い連接リンク９は開閉蓋２が全開するまで常に下部リンク８を起立させる方向へ押圧するので、開閉蓋２の左右のリンク機構４は、開放初期時から全開するまで同期的に動作するため、開閉蓋２をスムーズに開放することができ、従来の開閉蓋ａの開放時に下部リンクｆが上部リンクｅと逆の開閉蓋ａの閉鎖方向へ回動するために開閉蓋ａの開け具合によっては左右のリンク機構ｈが開放初期時に同期的に動作せず、開閉蓋ａを引き上げられない欠点を完全に解消できる。
しかも、開閉蓋２の開放度合に伴って上部及び下部リンク７、８が起立度合を増すと、長孔７ａは支軸１１に対し上方へスライドして上部リンク７は起立する様に回転しながら上方へ突き上がるため、開閉蓋２は略直立した状態で全開でき、上方開口部３の上部に邪魔物が存在しない全面開口状態と成すことでき、収納庫１への収納取扱作業を容易と成すことができる。
【００１１】
収納庫１と開閉蓋２の間に、該開閉蓋２の開閉動作を制御するガスシリンダ５を設けたので、開閉蓋２の開放時には、ガスシリンダ５のピストンロッド５ａの伸長により開閉蓋２を比較的軽い力で引き上げられ、又開閉蓋２の閉鎖時には、一定以上の押し下げ力によりピストンロッド５ａを緩やかにガスシリンダ５本体内へ後退させながら閉鎖できるため、開閉蓋２の開閉操作を容易に行うことができ、特に開閉蓋２の全開時には、その状態をガスシリンダ５によって保持でき、開閉蓋２が不用意に倒れないので安全である等その実用的効果甚だ大である。
【図面の簡単な説明】
【図１】床下収納庫の平面図である。
【図２】リンク機構の拡大平面図である。
【図３】図１のＡーＡ断面図である。
【図４】図１のＢーＢ断面図である。
【図５】開閉蓋の閉鎖時のリンク機構の状態を示す図である。
【図６】開閉蓋の開放初期時のリンク機構の状態を示す図である。
【図７】開閉蓋の全開前のリンク機構の状態を示す図である。
【図８】開閉蓋の全開時のリンク機構の状態を示す図である。
【図９】従来技術の要部拡大断面図である。
【符号の説明】
１　収納庫
１ａ　収納庫側壁
２　開閉蓋
２ａ　開放基端
３　上方開口部
４　リンク機構
５　ガススプリング
６　固定リンク
７　上部リンク
７ａ　長孔
８　下部リンク
９　連接リンク
１０　枢軸
１１　支軸
【図１】
2004107995.tif 000003
【図２】
2004107995.tif 000004
【図３】
2004107995.tif 000005
【図４】
2004107995.tif 000006
【図５】
2004107995.tif 000007
【図６】
2004107995.tif 000008
【図７】
2004107995.tif 000009
【図８】
2004107995.tif 000010
【図９】
2004107995.tif 000011